(57)【特許請求の範囲】
【請求項１】
壁面１６に固定されるフレーム２に、接続端子５ｅが設けられ、
このフレーム２にパネル１１ａが着脱可能に取付けられ、
パネル１１ａには、接続端子５ｅが臨む透孔１８４と、この透孔１８４の上部に連なる装着孔１８５とが形成され、
この装着孔１８５を挿通してパネル１１ａに装着される接続端子のカバー装置であって、
合成樹脂製カバー部材１８２と、合成樹脂製ホルダ１８３とを有し、
（ａ）カバー部材１８２は、
接続端子５ｅを覆うための正面板１９２を有し、この正面板１９２の両側方で背後に延びるカバー側壁１９３と、上板１９４と、下板１９５とによって無端状の周壁を形成するカバー部材本体１８９と、
カバー部材本体１８９の両カバー側壁１９３から背後に突出したブラケット１９０と、
このブラケット１９０に、カバー部材本体１８９の両側方に突設される案内ピン１９７とを含み、
カバー部材１８２の側部には、案内ピン１９７よりもカバー部材本体１８９寄りに案内ピン１９７の軸線を中心とする円弧状の溝である第１案内部１９８が形成され、
この第１案内部１９８は、
前記軸線まわりのカバー部材１８２が閉じる方向２００下流側で前記溝の底が浅く隆起して形成された第１凸部１９９と、
第１凸部１９９よりもカバー部材１８２が閉じる方向２００上流側に、第１凸部１９９よりも深い底を有する全閉保持部２０１とを有し、
第１凸部１９９には、カバー部材１８２が閉じる方向２００上流側に傾斜して全閉保持部２０１に連なる傾斜面２０２が形成され、
（ｂ）ホルダ１８３は、
（ｂ１）装着孔１８５を挿通するホルダ本体２０５であって、
左右のホルダ側壁２０７，２０８と、
これらのホルダ側壁２０７，２０８の上部を連結する連結板２０９とを有し、
全体の形状が逆Ｕ字状に形成されるホルダ本体２０５と、
（ｂ２）ホルダ本体２０５の両ホルダ側壁２０７，２０８と連結板２０９との前部に形成され、パネル１１ａの前面で外方に延びる前面鍔２０６とを有し、
（ｂ３）両ホルダ側壁２０７，２０８には、案内ピン１９７を緩やかに嵌め込んでカバー部材１８２の前方および後方の移動方向に沿って案内する透孔である第２案内部２１１が形成され、
この第２案内部２１１は、
その第２案内部２１１の後方端で、カバー部材本体１８９が延びる方向に屈曲した全開保持部２２６と、
第２案内部２１１の後方端でかつ全開保持部２２６よりも前方で透孔の幅が狭くくびれて形成されたくびれ部であり、全開状態の直前に、カバー部材１８２の後方で案内ピン１９７とくびれ部とが接触してカバー部材１８２にクリック感を発生する第２凸部２２５とを有し、
（ｂ４）両ホルダ側壁２０７，２０８にはさらに、
第２案内部２１１の前方で、第１案内部１９８に沿って案内する案内片２０４が形成され、
前記第１凸部１９９と案内片２０４とがカバー部材１８２の全閉状態の直前に接触してカバー部材１８２にクリック感を発生し、
第１凸部１９９の傾斜面２０２に案内片２０４が弾発的に当接することによって、カバー部材１８２に全閉状態に向かう力が与えられ、
前記案内片２０４は、カバー部材１８２を開く方向に移動したとき、カバー部材１８２のカバー側壁１９３の下部を支持して案内することを特徴とする接続端子のカバー装置。
【請求項２】
ホルダ側壁２０７，２０８に、外方に突出した保持突起２２４が形成され、
装着孔１８５に嵌め込まれたホルダ１８３の前面鍔２０６の背面と保持突起２２４との間で、パネル１１ａの前面と背面とを挟持することを特徴とする請求項１記載の接続端子のカバー装置。
【請求項３】
カバー部材１８２を、ホルダ１８３の後方から前方に押込んで、カバー部材１８２とホルダ１８３の弾発力によって装着可能であることを特徴とする請求項１または２記載の接続端子のカバー装置。
【発明の詳細な説明】
【０００１】
【発明の属する技術分野】
本発明は、接続端子のカバー装置に関し、もっと詳しくは、治療室および一般病室などで治療用ガスの接続端子、ならびに強電用および弱電用接続端子が収納される治療用配管配線接続端子収納ユニットにおいて好適に実施することができる接続端子を覆うためのカバー装置に関する。
【０００２】
【従来の技術】
医療用配管配線接続端子収納ユニットでは、使用されない接続端子を覆って、ごみが付着、侵入することを防ぎ、治療時には、接続端子を容易な操作で使用状態にすることができるようにしなければならない。先行技術では、このような接続端子を覆うための操作性に優れたカバー装置が実現されていない。
【０００３】
【発明が解決しようとする課題】
本発明の目的は、使用されない接続端子を覆ってごみなどの異物の接続端子への付着、侵入を防ぐとともに、接続端子の使用時にその開閉の操作性が優れた接続端子のカバー装置を提供することである。
【０００４】
本発明は、壁面１６に固定されるフレーム２に、接続端子５ｅが設けられ、
このフレーム２にパネル１１ａが着脱可能に取付けられ、
パネル１１ａには、接続端子５ｅが臨む透孔１８４と、この透孔１８４の上部に連なる装着孔１８５とが形成され、
この装着孔１８５を挿通してパネル１１ａに装着される接続端子のカバー装置であって、
合成樹脂製カバー部材１８２と、合成樹脂製ホルダ１８３とを有し、
（ａ）カバー部材１８２は、
接続端子５ｅを覆うための正面板１９２を有し、この正面板１９２の両側方で背後に延びるカバー側壁１９３と、上板１９４と、下板１９５とによって無端状の周壁を形成するカバー部材本体１８９と、
カバー部材本体１８９の両カバー側壁１９３から背後に突出したブラケット１９０と、
このブラケット１９０に、カバー部材本体１８９の両側方に突設される案内ピン１９７とを含み、
カバー部材１８２の側部には、案内ピン１９７よりもカバー部材本体１８９寄りに案内ピン１９７の軸線を中心とする円弧状の溝である第１案内部１９８が形成され、
この第１案内部１９８は、
前記軸線まわりのカバー部材１８２が閉じる方向２００下流側で前記溝の底が浅く隆起して形成された第１凸部１９９と、
第１凸部１９９よりもカバー部材１８２が閉じる方向２００上流側に、第１凸部１９９よりも深い底を有する全閉保持部２０１とを有し、
第１凸部１９９には、カバー部材１８２が閉じる方向２００上流側に傾斜して全閉保持部２０１に連なる傾斜面２０２が形成され、
（ｂ）ホルダ１８３は、
（ｂ１）装着孔１８５を挿通するホルダ本体２０５であって、
左右のホルダ側壁２０７，２０８と、
これらのホルダ側壁２０７，２０８の上部を連結する連結板２０９とを有し、
全体の形状が逆Ｕ字状に形成されるホルダ本体２０５と、
（ｂ２）ホルダ本体２０５の両ホルダ側壁２０７，２０８と連結板２０９との前部に形成され、パネル１１ａの前面で外方に延びる前面鍔２０６とを有し、
（ｂ３）両ホルダ側壁２０７，２０８には、案内ピン１９７を緩やかに嵌め込んでカバー部材１８２の前方および後方の移動方向に沿って案内する透孔である第２案内部２１１が形成され、
この第２案内部２１１は、
その第２案内部２１１の後方端で、カバー部材本体１８９が延びる方向に屈曲した全開保持部２２６と、
第２案内部２１１の後方端でかつ全開保持部２２６よりも前方で透孔の幅が狭くくびれて形成されたくびれ部であり、全開状態の直前に、カバー部材１８２の後方で案内ピン１９７とくびれ部とが接触してカバー部材１８２にクリック感を発生する第２凸部２２５とを有し、
（ｂ４）両ホルダ側壁２０７，２０８にはさらに、
第２案内部２１１の前方で、第１案内部１９８に沿って案内する案内片２０４が形成され、
前記第１凸部１９９と案内片２０４とがカバー部材１８２の全閉状態の直前に接触してカバー部材１８２にクリック感を発生し、
第１凸部１９９の傾斜面２０２に案内片２０４が弾発的に当接することによって、カバー部材１８２に全閉状態に向かう力が与えられ、
前記案内片２０４は、カバー部材１８２を開く方向に移動したとき、カバー部材１８２のカバー側壁１９３の下部を支持して案内することを特徴とする接続端子のカバー装置である。
【０００５】
本発明に従えば、接続端子のカバー装置は基本的に、接続端子を覆うカバー部材と、カバー部材を開閉可能に保持するホルダとを含む。カバー部材の接続端子を覆うカバー部材本体の両側部には案内ピンが突設され、この案内ピンは、ホルダの両側部に形成された第２案内部に沿ってカバー部材の前方および後方の移動方向に移動することができる。カバー部材本体によって接続端子を覆った全閉状態では、案内ピンは第２案内部の前方端で、ホルダに形成された案内片がカバー部材の第１案内部のカバー部材が閉じる方向最下流側の端部にある。カバー部材を開くにあたっては、案内ピンのまわりにカバー部材本体を角変位し、これによってホルダに形成された案内片は第１案内部をたどり、第１凸部に接触してカバー部材またはホルダの弾発力によってクリック感を発生する。カバー部材が後方に移動されるとき、カバー部材に形成された案内ピンは、第２案内部の第２凸部に接触し、全閉状態の直前に、ホルダまたはカバー部材の弾発的な変形によってクリック感を発生する。さらにカバー部材を後方に押し込むことによって、案内ピンが第２案内部の後方端に到達して全開状態となる。
【０００６】
カバー部材を閉じるにあたっては、カバー部材を前方に引っ張り、これによって案内ピンが第２凸部を経てクリック感を発生し、第２案内部をたどり、その第２案内部の前方端に到達する。そこでカバー部材本体が接続端子を覆うように角変位することによってホルダに形成された案内片は、カバー部材の第１案内部に形成された第１凸部に弾発的に接触してクリック感を発生する。カバー部材をさらに全閉状態に押して角変位することによって、案内片は第１凸部を経て、第１案内部の閉じる方向下流側の端部に到達し、こうして全閉状態となる。こうして操作者は、カバー部材を全閉状態および全開状態に操作したことを、各クリック感で確認することができる。またこのカバー部材が全閉状態となっているとき、案内片と第１凸部との働きによってカバー部材が不所望に開いて接続端子を露出させるおそれはない。これによってごみなどの異物が接続端子に付着、侵入するおそれがない。またカバー部材の全開状態では、案内ピンと第２凸部との働きによって、全開状態が保たれる。したがってカバー部材が、接続端子の使用中に外部の振動などによって不所望に閉じてしまうおそれがなく、操作性が良好である。
【０００７】
カバー部材およびホルダは、たとえばＡＢＳ樹脂などの合成樹脂材料から成る。
【０００９】
本発明に従えば、カバー部材本体の背後にブラケットが突出して設けられ、このブラケットに案内ピンが形成され、案内ピンよりも前方に、円弧状の第１案内部が形成され、かつ全閉保持部が配置され、この全閉保持部では、ホルダに形成された案内片が嵌まり込んで、全閉状態を保つことができる。
【００１１】
本発明に従えば、ホルダの第２案内部に形成された全開保持部には、カバー部材に形成された案内ピンが嵌まり込んで全開状態が保持される。この全開保持部は、第２案内部から屈曲して形成され、カバー部材による接続端子を全開して開いた状態に保ち、接続端子の操作性を良好にする。
【００１３】
本発明に従えば、カバー部材に形成される第１案内部は、溝であり、第１凸部は、その溝の底を浅く隆起して形成し、カバー部材の弾発力を確実に発揮することを可能にする。さらに本発明に従えば、ホルダの第２案内部は透孔であって細長く形成され、第２凸部は、その透孔の幅を狭くくびれて形成されたくびれ部によって、達成する。こうしてホルダの弾発力を確実に発揮させる。
また本発明は、ホルダ側壁２０７，２０８に、外方に突出した保持突起２２４が形成され、
装着孔１８５に嵌め込まれたホルダ１８３の前面鍔２０６の背面と保持突起２２４との間で、パネル１１ａの前面と背面とを挟持することを特徴とする。
さらに本発明は、カバー部材１８２を、ホルダ１８３の後方から前方に押込んで、カバー部材１８２とホルダ１８３の弾発力によって装着可能であることを特徴とする。
【００１４】
【発明の実施の形態】
図１は、本発明の実施の一形態の前提となる全体の構成を簡略化して示す斜視図である。医療用配管配線接続端子収納ユニット１は基本的に、フレーム２と、このフレームを覆うカバー３とフレーム２を治療室または一般病室などの建物の壁面に固定するための取付部材４などを含む。フレーム２は、横の長手方向に細長く延び、接続端子５が収納される。カバー３は、接続端子５を露出する開口部６を有する。
【００１５】
図２は、図１に示される医療用配管配線接続端子収納ユニット１の正面図である。ユニット１に収納される接続端子は、医療用ガス、たとえば酸素、笑気ガスおよび空気などの接続端子および真空吸引をする端子などを含み、これらの端子５は、カバー装置７で覆われている状態が示される。さらにこのフレーム２には、交流電源のコンセントである強電用接続端子５ａ、ナースコールスイッチなどの信号線の弱電用接続端子５ｂを含む。さらに患者のネームプレート８、起伏可能な吊り具９が設けられる。さらに患者の貴重品などの小物類を収納する収納庫１０が備えられる。参照符５ａ，５ｂなどは、参照符５で総括的に示すことがある。図１に示されるフレーム２に備えられた接続端子５は、図２に示される接続端子５ａ，５ｂ、カバー装置７、ネームプレート８、吊り具９および収納庫１０などを備えたフレーム２とは異なっており、本発明では、このような収納ユニット１は、各種の用途に変形して用いることができる。フレーム２の接続端子５などが配置されない個所は、ほぼ平板状のパネル１１が取付けられる。
【００１６】
図３は、図１に示される収納ユニット１の縦断面図である。フレーム２は基本的に、背面板１２と、背面板１２から前方（図１および図３の左方）に突出する上仕切板１３と、上仕切板１３の下方で背面板１２から前方に突出する下仕切板１４とを含む。背面板１２の上部１５には壁面１６から離間した凹所１７が形成される。この凹所１７内には、前記上部１５から後方（図１および図３の右方）になるにつれて下方に傾斜した係合片１８が形成される。このフレーム２は、たとえばアルミニウムまたはその合金などの金属材料から成り、押出成形によって長尺材として製造される。取付部材４は、壁面１６にビスなどが挿通されて固定される取付部１９と、取付部１９の上端部から前方（図３の左方）になるにつれて上方に傾斜して延びる係合受部２０とを有する。係合受部２０上に係合片１８が乗って係合することによって、フレーム２が壁面１６に固定される。背面板１２の上部１５と上仕切板１３とによって上収納空間２１が形成される。背面板１２と上下の仕切板１３，１４によって中間収納空間２２が形成される。背面板１２と下仕切板１４とによって下収納空間２３が形成される。
【００１７】
図４は、収納ユニット１の前述とは異なる使用状態を示す正面図であり、図５は図４の切断面線Ａ４５−Ａ４５から見た断面図である。この実施の形態は、前述の実施の形態に類似する。カバー部材２６の透孔１１４に照明部材１１６が取付けられ、光源１１２からの光が外部に放射されて照明が行われる。そのほかの構成は、前述と同様である。
【００１８】
図６は、本発明の実施の一形態である接続端子のカバー装置１８１を備える収納ユニット１の一部の正面図である。この収納ユニット１では、パネル１１ａに、医療用ガスを供給し、または真空吸引するための配管の接続端子５ｅが臨む。接続端子５ｅは、本発明に従うカバー装置１８１によって覆われ、または露出される。このカバー装置１８１は基本的に、カバー部材１８２と、ホルダ１８３とを含む。カバー装置１８１を構成するカバー部材１８２とホルダ１８３とは、ＡＢＳ樹脂などの合成樹脂材料から成る。
【００１９】
図７はカバー装置１８１によって接続端子５ｅを覆って全閉状態を示すカバー装置１８１の正面図であり、図８はカバー装置１８１によって全閉状態とされた接続端子５ｅを含む縦断面図である。フレーム２には、パネル１１ａが着脱可能に取付けられ、接続端子５ｅが臨む。
【００２０】
図９はパネル１１ａの正面図であり、図１０はパネル１１ａの側面図である。パネル１１ａには、接続端子５ｅの前面が臨む透孔１８４が形成される。この透孔１８４の上部に連なって、ホルダ１８３をパネル１１ａに装着するための装着孔１８５が形成される。パネル１１ａは、これらの透孔１８４および装着孔１８５が形成される装着部１８６が立上り部１８７を経て、下取付部９３および上取付部９４が形成される。
【００２１】
図１１はカバー部材１８２の正面図であり、図１２はカバー部材１８２の平面図であり、図１３はカバー部材１８２の底面図であり、図１４はカバー部材１８２の側面図である。これらの図面を参照して、カバー部材１８２は、接続端子５ｅを覆うためのカバー部材本体１８９と、このカバー部材本体１８９の背後に突出したブラケット１９０とを含み、縦の対称面１９１に関して左右対称に構成され、この面対称の構成は、ホルダ１８３に関しても同様である。カバー部材本体１８９は、正面板１９２と、その正面板１９２の両側部で背後に延びる側壁と上板１９４と下板１９５とによって無端状の周壁が形成される。側壁１９３には、ブラケット１９０が一体的に連なる。
【００２２】
図１５は、ブラケット１９０とその付近を拡大して示す側面図であり、図１６は図１５の切断面線Ａ５６−Ａ５６から見た断面図である。ブラケット１９０には、案内ピン１９７が左右に、すなわちフレーム２の長手方向に平行に、さらに換言すると、カバー部材本体１８９の両側方に突出して形成される。案内ピン１９７の軸線は、前述の対称面１９１（図１１参照）に垂直である。このブラケット１９０および側壁１９３には、案内ピン１９７よりも前方（図１４および図１５の左方）に、すなわちカバー部材本体１８９寄りに、第１案内部を構成する溝１９８が形成される。溝１９８は、案内ピン１９７の軸線を中心とする円の一部である円弧状に形成される。この溝１９８は、第１凸部を構成する底が浅く隆起して形成された隆起部１９９と、隆起部１９９よりもカバー部材１８２が閉じる方向２００の上流側に形成された全閉保持部２０１とを有する。
【００２３】
図１７は、図１５の円弧状の切断面線Ａ５６−Ａ５６から見た断面図である。溝１９８の一部を構成する全閉保持部２０１は、隆起部１９９よりも深い底を有する。溝１９８において、全閉保持部２０１の底よりも隆起した第１凸部である隆起部１９９には、カバー部材１８２が閉じる方向２００の上流側（図１７の左方）に低くなるように、すなわち深くなるように傾斜して図１７に明らかに示されるように全閉保持部２０１に連なる傾斜面２０２が形成される。これによって傾斜面２０２に、後述の案内片２０４が図１７の下方に弾発的に当接することによって、このカバー部材１８２には、全閉状態に向かう方向である閉じる方向２００下流側への力が与えられることになる。これによってカバー部材本体１８９による接続端子５ｅの全閉状態に保つことが確実になる。この全閉状態において、案内片２０４は、後述の式３のように構成し、したがって全閉保持部２０１の底に、または傾斜面２０２に弾発的に当接したままであってもよいけれども、図１７に示されるように離間していてもよい。
【００２４】
図１８はホルダ１８３の正面図であり、図１９はホルダ１８３の平面図であり、図２０は図１９の切断面線Ａ６０−Ａ６０から見た断面図であり、図２１は図２０の切断面線Ａ６１−Ａ６１から見た断面図である。ホルダ１８３は基本的に、ホルダ本体２０５と、このホルダ本体２０５の図１８に明らかに示されかつ次に述べる両側壁２０７，２０８と連結板２０９の前部に形成された前面鍔２０６とを含む。ホルダ本体２０５は、左右両側壁２０７，２０８と、これらの側壁２０７，２０８の上部を連結する連結板２０９とを有し、全体の形状が図２１に明らかに示されるように、逆Ｕ字状に形成される。側壁２０７，２０８には、第２案内部を構成する案内孔２１１がそれぞれ形成される。カバー部材１８２の案内ピン１９７は、案内孔２１１に緩やかに嵌まり込み、カバー部材１８２の前方（図２０の左方）および後方（図２０の右方）の移動方向に沿って案内される。
【００２５】
側壁２０７，２０８にはまた、案内孔２１１よりも前方（図２０の左方）で、案内片２０４が相互に対向して突設される。
【００２６】
図２２（１）はホルダ１８３の側壁２０７の一部の側面図であり、図２２（２）は図２２（１）に示される側壁２０７の底面図である。案内孔２１１の下方には、前面鍔２０６に近づくにつれて隆起した保持突起２２４が形成される。保持突起２２４と前面鍔２０６の背面との間の間隔Ｌ６５は、パネル１１ａの厚みＬ１０を超える値に選ばれる（Ｌ１０＜Ｌ６５）。
【００２７】
図２３はホルダ１８３の案内孔２１１を示す側面図であり、図２４は図２０の切断面線Ａ６７−Ａ６７から見た断面図である。案内孔２１１は前方端２３２から後方（図２３および図２４の右方）に斜め上に傾斜して延び、くびれ部２２５を経て、全開保持部２２６に連なる。全開保持部２２６は、案内孔２２１の前後方向から下方に屈曲する。この屈曲した位置にくびれ部２２５が形成される。案内孔２１１の幅Ｌ２１と全開保持部２２６の幅とは、等しく、案内ピン１９７の外径Ｌ２２を超える値である（Ｌ２１＞Ｌ２２）。これによって案内ピン１９７がくびれ部２２５を通過するとき、ホルダ１８３の弾発的な変形によってクリック感を発生することができる。
【００２８】
図２５は、カバー装置１８１を組立てる状態を示す簡略化した側面図である。パネル１１ａに形成された装着孔１８５には、ホルダ１８３をその前方（図２５の左方）から後方（図２５の右方）に押込んで嵌め込む。これによってホルダ１８３がパネル１１ａに固定される。その後、カバー部材１８２を矢符２３０で示されるように後方から前方に押込んで装着する。これによってカバー部材１８２とホルダ１８３との合成樹脂の弾発力によって、カバー部材１８２をホルダ１８３に装着することができる。
【００２９】
前述の図１７および図２１を参照して、ホルダ１８３における自然状態での案内片２０４間の間隔をＬ１６とし、側壁２０７，２０８間の間隔をＬ１７とし（Ｌ１６＜Ｌ１７）、カバー部材１８２における一対の隆起部１９９間の自然状態における間隔をＬ１４とし、一対の全閉保持部２０１間の自然状態における間隔をＬ１５とするとき、式（１）〜（３）が成立する。これによって案内片２０４が隆起部１９９に乗り上げてクリック感を発生させることができ、また傾斜面２０２の働きによってカバー部材本体１８９の閉じる方向２００の力を発揮することができる。
【００３０】
Ｌ１４＞Ｌ１５ …（１）
Ｌ１４＞Ｌ１６ …（２）
Ｌ１５＜Ｌ１６ …（３）
案内片２０４は、カバー部材本体１８９の左右両側壁１９３の下部を支持してカバー部材本体１８９が開閉時に落下することを防ぐ。
【００３１】
図２６は、カバー装置１８１のカバー部材１８２を全閉状態から開く操作を説明するための図である。カバー部材１８２のカバー部材本体１８９が、パネル１１に当接して全閉となっている状態は、図２７に拡大して示される。このとき案内ピン１９７は案内孔２１１の前方端２３２に当接している。案内片２０４は、全閉保持部２０１に嵌まり込んでいる。
【００３２】
カバー部材本体１８９を図２６に示されるように開く方向２３１に角変位すると、案内片２０４は隆起部１９９に弾発的に乗り上げて開く方向２３１の開くための大きな力を必要とし、さらに開く方向２３１に角変位すると、案内片２０４は、隆起部１９９から脱出し、鳴音「カチッ」が生じ、クリック感が発生される。このときのカバー部材本体１８９の姿勢は、図２６において参照符１８９ａで示される。カバー部材本体１８９ａを、さらに矢符２３３で示されるように後方に押し込むことによって、案内ピン１９７は、案内孔２１１に案内され、くびれ部２２５に接触する。このくびれ部２２５を案内ピン１９７が通過するとき、ホルダ１８３の弾発力によってクリック感が生じる。カバー部材本体１８９を図２６の参照符１８９ｂで示されるように全閉状態にしたとき、案内ピンは、図２８および図２９に示される状態となって、全開保持部２２６に嵌まり込む。これによってカバー部材１８９が不用意にパネル１１ａの前方に突出することはなく、全開状態を保つことができる。
【００３３】
図２８は、カバー部材本体１８９を全開状態から閉じるときの動作を説明するための簡略化した側面図である。参照符１８９ｂの全開状態にあるカバー部材本体１８９を、矢符２３４のように手前に引き出す。
【００３４】
図２９は、カバー部材本体１８９が全開状態にあるときの状態を示す断面図である。カバー部材本体１８９が全閉状態の姿勢１８９ｂから引き出されるとき、案内ピン１９７は、くびれ部２２５を経て案内孔２１１に導かれる。これによってクリック感が得られる。このときカバー部材本体１８９は参照符１８９ｃで示される姿勢になっている。このカバー部材本体１８９ｃを閉じる方向２００に押すことによって、案内ピン１９７は案内孔２１１を前方（図２９の左方）に移動し、前方端２３２に到達する。そこでさらに、カバー部材本体１８９を閉じる方向２００に押すと、案内片２０４は、溝１９８の隆起部１９９に乗り上げ、さらに押すことによって、案内片２０４は全閉保持部２０１に嵌まり込んで前述の図２７の状態に戻る。案内片２０４が図１７に関連して述べた傾斜面２０２に当接することによって、カバー部材本体１８９が閉じる方向２００に向かう力が作用し、全閉状態が確実に達成される。
【００３５】
以上のように、パネル１１ａに形成された取付孔には、接続端子が臨み、フレーム２に接続端子が固定され、この接続端子はたとえば治療室および一般病室などで用いられる医療用ガス、たとえば酸素、笑気ガス、空気などであってもよく、さらに真空吸引負圧であってもよく、この接続端子はさらに、交流電力などを供給する強電用接続端子、ならびにナースコールの信号線およびテレビジョン受信機の信号線などの弱電用接続端子などであってもよい。パネル１１ａの取付孔には、ホルダ１８３が嵌め込まれ、このホルダ１８３の前面鍔２０６の背面と、パネル１１ａの背後における保持突起２２４とでパネル１１ａの前面と背面が挟持され、ホルダ１８３がパネル１１ａに取付けられる。このホルダ１８３は、保持突起２２４を、ホルダ１８３の弾発力で撓ませてくぼませることによって、ホルダ１８３をパネル１１ａの取付孔から前方に取出すことができ、保守が容易である。
【００３６】
また、ホルダ１８３に形成される案内片２０４は、前述のようにカバー部材１８２の全閉状態の直前におけるクリック感を発生するために作用するだけでなく、さらに、カバー部材１８２を開く方向に移動するとき、そのカバー部材本体１８９が接続端子５ｅを開いたままになるようにカバー部材１８２の下部を支持して案内する働きをする。これによって構成の簡略化を図ることができる。
【００３７】
また、カバー部材１８２の第１案内部１９８に形成された第１凸部１９９には傾斜面を形成し、操作者がカバー部材本体１８９を全閉状態となる方向に押圧して角変位するとき、案内片２０４が第１凸部１９９から前記傾斜面に到達することによって、カバー部材１８２に全閉状態に向かう力が与えられる。したがってカバー部材１８２が全閉状態に確実に到達することができる。このカバー部材１８２に与えられる全閉状態に向かう力は、案内片２０４と傾斜面との相互の近接する弾発力によって発生され、この弾発力は、カバー部材１８２およびホルダ１８３の材料、たとえば前述のように合成樹脂などによって発生される。
【００３８】
また、接続端子５ｅをカバー部材１８２によって開閉可能としてホルダ１８３によって保持し、このカバー部材１８２による接続端子５ｅの全閉状態および全開状態の各直前で、クリック感を発生することによって、操作者が、その全閉状態および全開状態を確認することができる。これによって操作者によるカバー部材１８２の確実な操作を確認して達成することができ、操作性が良好である。本発明は、医療用配管配線接続端子収納ユニットに関連して実施されるだけでなく、その他の広範囲の技術分野で用いられる接続端子を覆うためのカバー装置１８１として実施することができる。
【００３９】
【発明の効果】
本発明によれば、操作者は、カバー部材を全閉状態および全開状態に操作したことを、各クリック感で確認することができる。またこのカバー部材が全閉状態となっているとき、案内片と第１凸部との働きによってカバー部材が不所望に開いて接続端子を露出させるおそれはない。これによってごみなどの異物が接続端子に付着、侵入するおそれがない。またカバー部材の全開状態では、案内ピンと第２凸部との働きによって、全開状態が保たれる。したがってカバー部材が、接続端子の使用中に外部の振動などによって不所望に閉じてしまうおそれがなく、操作性が良好である。
【００４０】
全閉状態を確実に保つことができる。
【００４１】
カバー部材による接続端子を全開して開いた状態に保ち、接続端子の操作性を良好にする。
【００４２】
カバー部材の弾発力を確実に発揮することを可能にする。さらに本発明によれば、ホルダの弾発力を確実に発揮させる。
【図面の簡単な説明】
【図１】本発明の実施の一形態の前提となる全体の構成を簡略化して示す斜視図である。
【図２】図１に示される医療用配管配線接続端子収納ユニット１の正面図である。
【図３】図１に示される収納ユニット１の縦断面図である。
【図４】収納ユニット１の前述とは異なる使用状態を示す正面図である。
【図５】図４の切断面線Ａ４５−Ａ４５から見た断面図である。
【図６】本発明の実施の一形態である接続端子のカバー装置１８１を備える収納ユニット１の一部の正面図である。
【図７】カバー装置１８１によって接続端子５ｅを覆って全閉状態を示すカバー装置１８１の正面図である。
【図８】カバー装置１８１によって全閉状態とされた接続端子５ｅを含む縦断面図である。
【図９】パネル１１ａの正面図である。
【図１０】パネル１１ａの側面図である。
【図１１】カバー部材１８２の正面図である。
【図１２】カバー部材１８２の平面図である。
【図１３】カバー部材１８２の底面図である。
【図１４】カバー部材１８２の側面図である。
【図１５】ブラケット１９０とその付近を拡大して示す側面図である。
【図１６】図１５の切断面線Ａ５６−Ａ５６から見た断面図である。
【図１７】図１５の円弧状の切断面線Ａ５６−Ａ５６から見た断面図である。
【図１８】ホルダ１８３の正面図である。
【図１９】ホルダ１８３の平面図である。
【図２０】図１９の切断面線Ａ６０−Ａ６０から見た断面図である。
【図２１】図２０の切断面線Ａ６１−Ａ６１から見た断面図である。
【図２２】図２２（１）はホルダ１８３の側壁２０７の一部の側面図であり、図２２（２）は図２２（１）に示される側壁２０７の底面図である。
【図２３】ホルダ１８３の案内孔２１１を示す側面図である。
【図２４】図２０の切断面線Ａ６７−Ａ６７から見た断面図である。
【図２５】ラバー装置１８１を組立てる状態を示す簡略化した側面図である。
【図２６】カバー装置１８１のカバー部材１８２を全閉状態から開く操作を説明するための図である。
【図２７】カバー部材１８２のカバー部材本体１８９がパネル１１に当接して全閉となっている状態を拡大して示す図である。
【図２８】カバー部材本体１８９を全開状態から閉じるときの動作を説明するための簡略化した側面図である。
【図２９】カバー部材本体１８９が全開状態にあるときの状態を示す断面図である。
【符号の説明】
１  医療用配管配線接続端子収納ユニット
２  フレーム
３  カバー
５  接続端子
７  カバー装置
１１  パネル
１２  背面板
１３  上仕切板
１４  下仕切板
１６  壁面
２１  上収納空間
２２  中間収納空間
２３  下収納空間
２８，２９  側板
１８１  カバー装置
１８２  カバー部材
１８３  ホルダ
１８５  装着孔
１８９  カバー部材本体
１９０  ブラケット
１９２  正面板
１９３  側壁
１９４  上板
１９５  下板
１９７  案内ピン
１９８  溝
１９９  隆起部
２００  閉じる方向
２０１  全閉保持部
２０２  傾斜面
２０４  案内片
２０５  ホルダ本体
２０６  全面鍔
２１１  案内孔
２２５  くびれ部
２２６  全開保持部
【図１】
0004112096.tif 000002
【図２】
0004112096.tif 000003
【図３】
0004112096.tif 000004
【図４】
0004112096.tif 000005
【図５】
0004112096.tif 000006
【図６】
0004112096.tif 000007
【図７】
0004112096.tif 000008
【図８】
0004112096.tif 000009
【図９】
0004112096.tif 000010
【図１０】
0004112096.tif 000011
【図１１】
0004112096.tif 000012
【図１２】
0004112096.tif 000013
【図１３】
0004112096.tif 000014
【図１４】
0004112096.tif 000015
【図１５】
0004112096.tif 000016
【図１６】
0004112096.tif 000017
【図１７】
0004112096.tif 000018
【図１８】
0004112096.tif 000019
【図１９】
0004112096.tif 000020
【図２０】
0004112096.tif 000021
【図２１】
0004112096.tif 000022
【図２２】
0004112096.tif 000023
【図２３】
0004112096.tif 000024
【図２４】
0004112096.tif 000025
【図２５】
0004112096.tif 000026
【図２６】
0004112096.tif 000027
【図２７】
0004112096.tif 000028
【図２８】
0004112096.tif 000029
【図２９】
0004112096.tif 000030